(57)【要約】【課題】被写体が写真スタジオ内における所望の位置に移動したときでも、プロカメラマンではなく、写真スタジオを訪れた客が自らカメラのシャッターを押しても好ましい写真を撮影することができるようにした写真スタジオを提供する。【解決手段】写真スタジオ（１）内における上部には、該写真スタジオ内全体が均一に照明されるように複数の照明手段（３）を分散させた状態で配設し、各照明手段は、箱体（５）の内面に反射手段（７）を配設し、該箱体の下端を透光板（９）により形成し、該箱体内にはストロボ（１１）を上向きに配設すると共に蛍光灯（１３）を取り付けてなり、更に、カメラの絞り値とシャッタースピードとを予め一定に設定し、被写体が該写真スタジオ内におけるいかなる場所に位置するときでも、何人も該被写体を該カメラにより撮影することができるようにしたことを特徴とする写真スタジオ。【選択図】　図１
2004054071.tif 000002
【特許請求の範囲】
【請求項１】
写真スタジオ内における上部には、該写真スタジオ内全体が均一に照明されるように複数の照明手段を分散させた状態で配設し、
各照明手段は、箱体の内面に反射手段を配設し、該箱体の下端を透光板により形成し、該箱体内にはストロボを上向きに配設すると共に蛍光灯を取り付けてなり、
更に、カメラの絞り値とシャッタースピードとを予め一定に設定し、
被写体が該写真スタジオ内におけるいかなる場所に位置するときでも、何人も該被写体を該カメラにより撮影することができるようにしたことを特徴とする写真スタジオ。
【請求項２】
前記複数の照明手段は、中央の１個の照明手段とその四周に配設された４個の照明手段とよりなることを特徴とする請求項１の写真スタジオ。
【請求項３】
前記複数の照明手段は、それぞれ中央の１個の照明手段とその四周に配設された４個の照明手段とよりなる第一照明手段群と第二照明手段群とを備えると共に該第一照明手段と第二照明手段との間に更に１個の照明手段を配設してなることを特徴とする請求項１の写真スタジオ。
【請求項４】
前記複数の照明手段は、中央の２個の照明手段とその周囲に配設された６個の照明手段とよりなることを特徴とする請求項１の写真スタジオ。
【発明の詳細な説明】
【０００１】
【発明の属する技術分野】
本発明は写真スタジオに関するものであり、特に、被写体が写真スタジオ内における所望の位置に移動したときでも、プロカメラマンではなく、写真スタジオを訪れた客が自らカメラのシャッターを押しても好ましい写真を撮影することができるようにした写真スタジオに係るものである。
【０００２】
【従来の技術】
写真スタジオとしては、室内に照明手段を備えさせてなるものが従来より使用されている。
【０００３】
上記従来の写真スタジオにおいては、被写体が該写真スタジオ内における所定の場所に位置するときにのみ、該被写体が好ましく照明されるように照明手段が配設されている。
【０００４】
即ち、写真撮影を希望して写真スタジオを訪れた客が被写体として該写真スタジオ内における前記所定の場所に位置しているときに、プロカメラマンがカメラのシャッターを押して該被写体を撮影するのである。
【０００５】
【発明が解決しようとする課題】
しかるに、上記従来の写真スタジオにおいては、次のような問題がある。
【０００６】
（イ）上記従来の写真スタジオにおいては、照明手段はスタジオ内全体を均一に照明するものではなく、被写体が該写真スタジオ内における前記所定の場所に位置するときにのみ、該被写体が好ましく照明されるようにしている。換言すれば、写真撮影時には被写体は前記所定の場所に位置しなければならないのであり、被写体が移動したときには照明手段を調節しない限り好ましい写真撮影を行なうことができない。従って、常に動き回る傾向のある幼児等を前記所定の場所に単独で位置させた状態で写真撮影を行なうことは困難である。
【０００７】
（ロ）上記従来の写真スタジオにおいては、カメラのシャッターを押すのは専らプロカメラマンである。上記従来の写真スタジオにおける照明手段は、該写真スタジオ内全体を均一に照明するものではなく、被写体が前記所定の場所に位置し且つプロカメラマンがカメラのシャッターを押すことを前提として配設されている。即ち、被写体は写真スタジオ内における前記所定の場所に位置し、該被写体と対向するプロカメラマンがカメラのシャッターを押すのである。従って、該被写体がプロカメラマンと親しくない場合には、該被写体の自然な表情を撮影することは困難であり、特に、該被写体が子供のときには、該被写体が緊張して好ましい写真撮影を行なうことはできない。
【０００８】
本発明は、上記従来の写真スタジオにおける上述の如き問題を解決し、被写体が写真スタジオ内における所望の位置に移動したときでも、プロカメラマンではなく、写真スタジオを訪れた客が自らカメラのシャッターを押しても好ましい写真を撮影することができるようにした写真スタジオを提供しようとしてなされたものである。
【０００９】
【課題を解決するための手段】
上記課題を解決するために、本発明は下記の写真スタジオを提供するものである。
【００１０】
（１）写真スタジオ内における上部には、該写真スタジオ内全体が均一に照明されるように複数の照明手段を分散させた状態で配設し、
各照明手段は、箱体の内面に反射手段を配設し、該箱体の下端を透光板により形成し、該箱体内にはストロボを上向きに配設すると共に蛍光灯を取り付けてなり、
更に、カメラの絞り値とシャッタースピードとを予め一定に設定し、
被写体が該写真スタジオ内におけるいかなる場所に位置するときでも、何人も該被写体を該カメラにより撮影することができるようにしたことを特徴とする写真スタジオ（請求項１）。
【００１１】
（２）前記複数の照明手段は、中央の１個の照明手段とその四周に配設された４個の照明手段とよりなる（請求項２）。
【００１２】
（３）前記複数の照明手段は、それぞれ中央の１個の照明手段とその四周に配設された４個の照明手段とよりなる第一照明手段群と第二照明手段群とを備えると共に該第一照明手段と第二照明手段との間に更に１個の照明手段を配設してなる（請求項３）。
【００１３】
（４）前記複数の照明手段は、中央の２個の照明手段とその周囲に配設された６個の照明手段とよりなる（請求項４）。
【００１４】
【作用】
写真スタジオ内全体が照明手段により均一に照明されるため、被写体は該写真スタジオ内におけるいかなる場所に位置しても差し支えない。従って、常に動き回る傾向のある幼児等を単独で撮影することも可能である。
【００１５】
各照明手段におけるストロボが発する光は箱体内面の反射手段により反射し、箱体下端の透光板を通って写真スタジオ全体にソフトな光を与える。
【００１６】
各照明手段における蛍光灯は、写真撮影には直接必要なものではないが、写真スタジオ内全体を照らす。
【００１７】
写真スタジオ内全体が照明手段により均一に照明されるため、写真スタジオのカメラの絞り値とシャッタースピードとを予め一定に設定することができる。
【００１８】
従って、該カメラのピントのみを合せることにより、何人も該カメラにより写真撮影を好ましく行なうことができる。
【００１９】
換言すれば、写真撮影に関する専門的な知識ないし経験を有しない者であっても、プロカメラマンのアドバイスを受けて、写真スタジオにおいて自ら写真撮影を行なうことができるのである。
【００２０】
その結果、写真スタジオを訪れた客が自らカメラのシャッターを押して好ましい写真を撮影することができるのである。
【００２１】
【発明の実施の形態】
次に、本発明の実施の形態を添付図面に従って説明する。
【００２２】
写真スタジオ１内における上部には、該写真スタジオ１内全体が均一に照明されるように複数の照明手段３を分散させた状態で配設する。各照明手段３は一例として写真スタジオ１の天井４に取り付けられる。
【００２３】
各照明手段３は、図１に示すように、箱体５の内面に銀紙等の反射手段７を配設し、該箱体５の下端をアクリル樹脂等の透光板９により形成し、該箱体５内にはストロボ１１を上向きに配設すると共に蛍光灯１３を取り付けてなるものである。
【００２４】
ストロボ１１は、一例として図２に示すように、約９０度の角度範囲ａで光を発する。蛍光灯１３は３６０度の角度範囲で光を発する。
【００２５】
ストロボ１１の光量は調節自在である。
【００２６】
箱体５には該箱体５を内外に貫く放熱孔１５を備えさせる。
【００２７】
写真スタジオ１のカメラは絞り値とシャッタースピードとを予め一定に設定する。
【００２８】
被写体が写真スタジオ１内におけるいかなる場所に位置するときでも、何人も該被写体１を写真スタジオ１のカメラにより撮影することができるようになす。
【００２９】
図３に示す事例においては、前記複数の照明手段３は、中央の１個の照明手段３とその四周に配設された４個の照明手段３とよりなる。
【００３０】
図５に示す事例においては、前記複数の照明手段３は、それぞれ中央の１個の照明手段３とその四周に配設された４個の照明手段３とよりなる第一照明手段群２１と第二照明手段群２３とを備えると共に該第一照明手段２１と第二照明手段２３との間に更に１個の照明手段３’を配設してなる。即ち、この事例においては、合計１１個の照明手段３が配設されている。
【００３１】
図６に示す事例においては、前記複数の照明手段３は、中央の２個の照明手段とその周囲に配設された６個の照明手段とよりなる。即ち、この事例においては、合計８個の照明手段３が配設されている。
【００３２】
【発明の効果】
以上説明したように、本発明によれば、写真スタジオ内全体が照明手段により均一に照明されるため、被写体は該写真スタジオ内におけるいかなる場所に位置しても差し支えない。従って、常に動き回る傾向のある幼児等を単独で撮影することも可能である。
【００３３】
また、写真スタジオ内全体が照明手段により均一に照明されるため、写真スタジオのカメラの絞り値とシャッタースピードとを予め一定に設定することができる。従って、該カメラのピントのみを合せることにより、何人も該カメラにより写真撮影を好ましく行なうことができる。
【００３４】
換言すれば、写真撮影に関する専門的な知識ないし経験を有しない者であっても、写真スタジオにおいて自ら写真撮影を楽しむことができる。
【００３５】
即ち、写真撮影に関する専門的な知識ないし経験を有しない者でも写真スタジオで自分の家族や友人の写真を撮影することができる。その結果、被写体は撮影者の前で緊張することがないため、自然な表情の写真を撮影することができる。
【図面の簡単な説明】
【図１】照明手段の一例を示す断面図である。
【図２】ストロボの正面図である。
【図３】写真スタジオにおける照明手段の配設状態の一例を概略的に示す平面図である。
【図４】同上の正面図である。
【図５】写真スタジオにおける照明手段の配設状態の別の一例を概略的に示す平面図である。
【図６】写真スタジオにおける照明手段の配設状態の更に別の一例を概略的に示す平面図である。
【符号の説明】
１　　写真スタジオ
３　　照明手段
４　　天井
５　　箱体
７　　反射手段
９　　透光板
１１　ストロボ
１３　　蛍光灯
１５　　放熱孔
２１　　第一照明手段群
２３　　第二照明手段群
【図１】
2004054071.tif 000003
【図２】
2004054071.tif 000004
【図３】
2004054071.tif 000005
【図４】
2004054071.tif 000006
【図５】
2004054071.tif 000007
【図６】
2004054071.tif 000008